(57)【要約】【課題】片軸受リールにおいて、重量の増加を抑えて細い釣り糸を巻きやすくする。【解決手段】片軸受リールは、釣り竿に装着され、釣り竿の長手方向と食い違う軸回りに釣り糸を巻き取るリールであって、釣り竿に装着されるリール本体１と、スプール軸２と、スプール３とを備えている。スプール軸２は、両端が開口するパイプ形状であり、リール本体１に一端が開口された状態で片持ち固定されている。スプール３は、スプール軸２に回転自在に装着され、外周に釣り糸が巻かれる糸巻胴部１５、糸巻胴部１５の軸方向内側に設けられ糸巻胴部より大径の第１フランジ１６、及び糸巻胴部の軸方向外側に第１フランジ１６と対向して設けられた第２フランジ１７を有している。【選択図】      図２
2004344106.tif 000002
【特許請求の範囲】
【請求項１】
釣り竿に装着され、前記釣り竿の長手方向と食い違う軸回りに釣り糸を巻き取る片軸受リールであって、
前記釣り竿に装着されるリール本体と、
両端が開口するパイプ形状であり、前記リール本体に一端が開口された状態で片持ち固定されスプール軸と、
前記スプール軸に回転自在に装着され、外周に釣り糸が巻かれる糸巻胴部、前記糸巻胴部の軸方向内側に設けられ前記糸巻胴部より大径の第１フランジ、及び前記糸巻胴部の軸方向外側に前記第１フランジと対向して設けられた第２フランジを有するスプールと、
を備えた片軸受リール。
【請求項２】
前記スプール軸の開口径は、前記第１フランジ部の外径の３０〜７０％の範囲である、請求項１に記載の片軸受リール。
【請求項３】
前記スプールは、前記糸巻胴部の内周面と前記スプール軸の外周面との間に軸方向に間隔を隔てて配置された第１及び第２軸受により前記スプール軸に回転自在に支持されている、請求項１又は２に記載の片軸受リール。
【請求項４】
前記スプールは、
前記第２フランジから径方向内方に延びる内フランジと、前記内フランジの内周端から前記スプール軸の内周面と間隔を隔てて配置される内筒部とをさらに有し、
前記糸巻胴部の前記第１フランジ側内周部と前記スプール軸の外周面との間に配置された第１軸受及び前記内筒部の外周面と前記スプール軸の軸方向外側内周面との間に配置された第２軸受により、前記スプール軸に回転自在に支持されている、請求項１又は２に記載の片軸受リール。
【請求項５】
前記スプールは、
前記第２フランジから径方向内方に延びる内フランジと、前記内フランジの内周端から前記スプール軸と間隔を隔てて配置され前記糸巻き胴部の内周側に対向して配置された内筒部とをさらに有し、
前記内筒部の外周面と前記スプール軸の外周面との間に軸方向に間隔を隔てて配置された第１及び第２軸受により前記スプール軸に回転自在に支持されている、請求項１又は２に記載の片軸受リール。
【請求項６】
前記第２フランジは、少なくとも前記糸巻胴部及び前記第１フランジのうちいずれか一方と異なる材料により形成されている、請求項１から５のいずれかに記載の片軸受リール。
【請求項７】
前記スプール軸の外径は、前記糸巻胴部の外径の６０％から９０％の範囲にある、請求項１から６のいずれかに記載の片軸受リール。
【請求項８】
前記スプールとリール本体との間に設けられ、前記スプールの回転により発音する発音手段をさらに備える、請求項１から７のいずれかに記載の片軸受リール。
【請求項９】
前記発音手段は、前記スプールの糸繰り出し方向の回転と糸巻取方向の回転とで異なる音を発音する、請求項８に記載の片軸受リール。
【請求項１０】
前記発音手段を、発音可能状態と発音不能状態とに切り換える発音切換手段をさらに備える、請求項８又は９に記載の片軸受リール。
【請求項１１】
前記発音手段は、前記スプールの回転に抵抗を付与する抵抗付与手段を有する、請求項８から１０のいずれかに記載の片軸受リール。
【請求項１２】
前記スプールと前記リール本体との間に設けられ、前記スプールの糸繰り出し方向の回転に抵抗を付与する抵抗付与手段をさらに備える、請求項１から８のいずれかに記載の片軸受リール。
【請求項１３】
前記スプールを前記スプール軸からワンタッチで着脱可能なスプール着脱手段をさらに備える、請求項１から１２のいずれかに記載の片軸受リール。
【発明の詳細な説明】
【０００１】
【発明の属する技術分野】
本発明は、釣り用リール、特に、釣り竿に装着され、釣り竿の長手方向と食い違う軸回りに釣り糸を巻き取る片軸受リールに関する。
【０００２】
【従来の技術】
片軸受リールは、一般に、フライを使用する渓流釣りや筏や波止場や船から比較的浅場の魚を釣るのに使用される。片軸受リールは、リール本体と、リール本体に片持ち支持されたスプール軸と、スプール軸に回転自在に装着された糸巻用のスプールとを有している（たとえば、特許文献１参照）。リール本体は円板状の側板を有している。側板の外周には、軸方向に延びる上下１対のスプール保護部が形成されている。一方のスプール保護部には、釣り竿に取り付けるための竿装着部が形成されている。また、他方の保護部には、釣り糸を係止するための釣り糸係止部が設けられている。
【０００３】
この種の片軸受リールでは、スプール軸は比較的小径の軸であり、本体部の中心にねじ込み固定されている。スプールはスプール軸に軸受を介して回転自在に装着されており、スプール軸に対して着脱自在になっている。
【０００４】
【特許文献１】
特開平１１−２５３０８３号公報
【０００５】
【発明が解決しようとする課題】
前記従来の構成では、スプール軸が小径な軸であるため、スプールやスプール軸やリール本体等の部品の形状がスプール軸によって制限されて片軸受リールに対して新規な意匠を提供しにくい。また、スプールの糸巻胴部の直径が小径になり、細い釣り糸を巻くときにスペーサを装着するなどの手間が必要になる。そこで、スプール軸の直径を太くして糸巻胴部の直径を大きくすることが考えられる。しかし、スプール軸を太くすると重量が増加して軽量化を図りにくい。
【０００６】
本発明の課題は、片軸受リールにおいて、重量の増加を抑えて細い釣り糸を巻きやすくすることにある。
本発明の別の課題は、片軸受リールに対して新規な意匠を提供できるようにすることにある。
【０００７】
【課題を解決するための手段】
発明１に係る片軸受リールは、釣り竿に装着され、釣り竿の長手方向と食い違う軸回りに釣り糸を巻き取るリールであって、釣り竿に装着されるリール本体と、スプール軸と、スプールとを備えている。スプール軸は、両端が開口するパイプ形状であり、リール本体に一端が開口された状態で片持ち固定されている。スプールは、スプール軸に回転自在に装着され、外周に釣り糸が巻かれる糸巻胴部、糸巻胴部の軸方向内側に設けられ糸巻胴部より大径の第１フランジ、及び糸巻胴部の軸方向外側に第１フランジと対向して設けられた第２フランジを有している。
【０００８】
この片軸受リールでは、スプール軸がパイプ形状で両端が開口している。また、スプール軸は、一端が開口された状態でリール本体に片持ち支持されている。このスプール軸にスプールが回転自在に装着されている。ここでは、両端が開口するスプール軸がパイプ形状であるので、重量の増加を抑えてスプール軸を太くすることができる。このため、糸巻胴部の径を大きくすることができ、重量の増加を抑えて細い釣り糸を巻きやすくすることができる。また、両端が開口したスプール軸がリール本体に一端が開口された状態で固定されているので、スプール軸の中心部が素通しとなり従来の片軸受リールと異なる新規な意匠を提供できる。
【０００９】
発明２に係る片軸受リールは、発明１に記載のリールにおいて、スプール軸の開口径は、第１フランジ部の外径の３０〜７０％の範囲である。スプール軸の開口径が第１フランジ部の外径の３０％未満であると、糸巻き量は多くなるが軽量化を図りにくくなる。また、７０％を超えると、軽量化を図れるが糸巻き量が極端に少なくなる。
【００１０】
発明３に係る片軸受リールは、発明１又は２に記載のリールにおいて、スプールは、糸巻胴部の内周面とスプール軸の外周面との間に軸方向に間隔を隔てて配置された第１及び第２軸受によりスプール軸に回転自在に支持されている。この場合には、スプール軸の外側外周面の２箇所に第１及び第２軸受が配置されているので、スプール軸の支持構造が簡素になる。
【００１１】
発明４に係る片軸受リールは、発明１又は２に記載のリールにおいて、スプールは、第２フランジから径方向内方に延びる内フランジと、内フランジの内周端からスプール軸と間隔を隔てて配置された内筒部とをさらに有し、糸巻胴部の第１フランジ側内周部とスプール軸の外周面との間に配置された第１軸受及び内筒部の外周面とスプール軸の軸方向外側内周面との間に配置された第２軸受により、スプール軸に回転自在に支持されている。この場合には、スプール軸の内側外周面と外側内周面の２箇所でスプールが支持されている。
【００１２】
発明５に係る片軸受リールは、発明１又は２に記載のリールにおいて、スプールは、第２フランジから径方向内方に延びる内フランジと、内フランジの内周端からスプール軸と間隔を隔てて配置されされ前記糸巻き胴部に対向して配置された内筒部とをさらに有し、内筒部の外周面とスプール軸の外周面との間に軸方向に間隔を隔てて配置された第１及び第２軸受によりスプール軸に回転自在に支持されている。この場合には、スプール軸の内周面の２箇所でスプールが支持されている。
【００１３】
発明６に係る片軸受リールは、発明１から５のいずれかに記載のリールにおいて、第２フランジは少なくとも糸巻胴部及び前記第１フランジのうちいずれか一方と異なる材料により形成されている。この場合には、スプールが異なる材料で形成可能であるので、外観に現れる第２フランジを高級感のある金属製にすることで美観を向上するとともに表面の穴あけ等の加工が容易になる。一方、外観に現れにくい糸巻胴部及び第１フランジを低コストの合成樹脂で形成して軽量化を図ることができる。
【００１４】
発明７に係る片軸受リールは、発明１から６のいずれかに記載のリールにおいて、スプール軸の外径は、糸巻胴部の外径の６０％から９０％の範囲にある。この場合には、糸巻胴部の外径の６０％から９０％の範囲にスプール軸の外径があるので、スプール軸の大径化を図りつつスプールの軽量化を図ることができる。発明８に係る片軸受リールは、発明１から７のいずれかに記載のリールにおいて、スプールとリール本体との間に設けられ、スプールの回転により発音する発音手段をさらに備える。この場合には、スプールが回転すると発音するので、魚の当たりをとりやすい。
【００１５】
発明９に係る片軸受リールは、発明８に記載のリールにおいて、発音手段は、スプールの糸繰り出し方向の回転と糸巻取方向の回転とで異なる音を発音する。この場合には、糸巻取方向と糸繰り出し方向とで異なる音を発生するので、音により回転方向を識別できる。
発明１０に係る片軸受リールは、発明８又は９に記載のリールにおいて、発音手段を、発音可能状態と発音不能状態とに切り換える発音切換手段をさらに備える。この場合には、発音可能状態と発音不能状態とに切り換えできるので、発音不能状態にすることにより発音による回転抵抗の増加を抑えて釣り糸を素早く繰り出すことができる。
【００１６】
発明１１に係る片軸受リールは、発明８から１０のいずれかに記載のリールにおいて、発音手段は、スプールの回転に抵抗を付与する抵抗付与手段を有する。この場合には、発音機能と抵抗付与機能とをひとつの機構で実現できるとともに、釣り糸の無駄な繰り出しを防止できる。
発明１２に係る片軸受リールは、発明１から８のいずれかに記載のリールにおいて、スプールとリール本体との間に設けられ、スプールの糸繰り出し方向の回転に抵抗を付与する抵抗付与手段をさらに備える。この場合には、仕掛けに魚がかかって設定された抵抗以上の力が釣り糸に作用するとスプールが糸繰り出し方向に回転するので、釣り糸が切れにくくなる。
【００１７】
発明１３に係る片軸受リールは、発明１から１２のいずれかに記載のリールにおいて、スプールをスプール軸からワンタッチで着脱可能なスプール着脱手段をさらに備える。この場合には、スプールをワンタッチで着脱できるので、釣り糸の変更やスプールの変更が容易である。
【００１８】
【発明の実施の形態】
〔第１実施形態〕
本発明の一実施形態を採用した片軸受リールは、図１及び図２に示すように、リール本体１と、リール本体１に片持ち支持されたスプール軸２と、スプール軸２に対して相対回転自在に配置され外周に釣り糸が巻かれるスプール３と、スプール３の一方向の回転を制動するドラグ機構（抵抗付与手段の一例）４、スプール３をスプール軸２からワンタッチで着脱可能なワンタッチ着脱機構５を備えている。
【００１９】
リール本体１は、一方側（図２左側）に円板状の側板１０を有し、他方側は開放されている。側板１０の外周には、軸方向に延びる上下１対の保護部１１ａ，１１ｂが形成されている。図２における上側の保護部１１ａには、この片軸受リールを釣竿に取り付けるための取付部１２が設けられている。下側の保護部１１ｂには、スプール３に巻き付けられる釣り糸の端を係止するための釣り糸係止部１３が設けられている。
【００２０】
スプール軸２は、両端が開口するパイプ形状の金属製の軸であり、その一端（図２左端）がリール本体１の側板１０の中心部を貫通して側板１０に片持ち固定されている。スプール軸２の一端外周にはリール本体１の側板１０の中心にねじ込まれる雄ネジ部２ａが形成されている。この雄ネジ部２ａは、リール本体１の側板１０の中心部から外方に突出している。また、スプール軸２の雄ねじ部２ａに近接する位置には環状の突出部２ｂが形成されている。この突出部２ｂが側板１０の内面に接触してスプール軸２が位置決めされている。スプール軸２の先端には、ワンタッチ着脱機構５を構成する環状の係合溝２ｃが形成されている。スプール軸２の開口径（スプール軸の内径）は、後述するスプール３の第１フランジ１６の外径の３０％から７０％の範囲である。スプール軸２の開口径が第１フランジ部１６の外径の３０％未満であると、糸巻き量は多くなるが軽量化を図りにくくなる。また、７０％を超えると、軽量化を図れるが糸巻き量が極端に少なくなる。
【００２１】
スプール３は、たとえば合成樹脂又は軽合金製の部材であり、図２に示すように、内部空間３ａを有する筒状の糸巻胴部１５と、糸巻胴部１５の内側部に糸巻胴部１５と一体で形成された円板状の第１フランジ１６と、糸巻胴部１５の外側部に糸巻胴部１５と一体で形成された円板状の第２フランジ１７と、内部空間を塞ぐ端面部材１８とを有している。
【００２２】
糸巻胴部１５は、スプール軸２の外径が糸巻胴部の外径の６０％から９０％の範囲となるような大きさに設定されている。このように設定すると、スプール軸２の大径化を図りつつスプール３の軽量化を図ることができる。第１フランジ１６はリール本体１の側板１０と対向するように形成されている。第２フランジ１７は、第１フランジ１６と対向して外側に配置されている。第２フランジ１７は、リール本体１の保護部１１ａ．１１ｂを覆うような大きさで形成されており、外側面には装飾及び軽量化のための孔部１７ａが多数形成されている。
【００２３】
端面部材１８は、スプール３の内部空間３ａのうち、スプール軸２の先端側を塞いでいる。端面部材１８は、スプール軸２の内周面と略同径の中心孔１８ａを有している。端面部材１８はたとえば６本のボルト２０により第２フランジ１７に装着されている。第２フランジ１７の外面で外周近くにはハンドル４８が取り付けられている。ハンドル４８は、第２フランジ１７に立設されたハンドル軸５０に回転自在に支持されており、ハンドル４８をつかんだままでのスプール３の回転操作を容易にしている。
【００２４】
スプール３の内部空間３ａ内には、スプール３をスプール軸２に対して回転自在に支持する１対の玉軸受２１ａ，２１ｂと、スプール３の釣り糸繰り出し方向の回転時に連結されるローラクラッチ２３が設けられている。また、ドラグ機構４が、側板１０のスプール軸２の周囲に設けられている。
玉軸受２１ａ，２１ｂは、糸巻胴部１５の内周面とスプール軸２の外周面との間に軸方向に間隔を隔てて配置されている。玉軸受２１ａはローラクラッチ２３と後述するドラグ機構４の回転円板４０に挟まれて配置されている。玉軸受２１ｂは、スプール軸２の外周面に装着され端面部材１８により押圧されたカラー１９ａによりスプール３に保持されている。スプール３の着脱時には、玉軸受２１ａは、ローラクラッチ２３とともにスプール軸２上に残り、玉軸受２１ｂは、スプール３とともにスプール軸２から外される。
【００２５】
ローラクラッチ２３は、スプール３に着脱自在に装着され、ドラグ機構４が糸繰り出し方向でのみ作動するように設けられている。ローラクラッチ２３は、スプール３の内部空間３ａに回転不能に装着された外輪２５と、スプール軸２に回転自在に装着された内輪２６と、両輪２５、２６の間に両者に接触可能に配置された、たとえば６つのローラ２７とを有する内輪遊転形のものである。内輪２６は、スプール軸２の外周面にはめられた止め輪１９ｂにより軸方向外方（図２右方）への移動が規制されている。
【００２６】
両輪２５、２６の間には、ローラ２７を周方向に間隔を隔てて保持するための合成樹脂製のリテーナ（図示せず）が装着されている。リテーナには、ローラ２７を周方向に所定距離移動可能に保持するための保持空間が形成されている。保持空間の周方向の一側には、糸繰り出し方向（ローラ２７が両輪２５、２６に食い込む方向）に付勢するためのバネ部材（図示せず）が一体で形成されている。
【００２７】
ドラグ機構４は、内輪に回転不能に係止される回転円板４０と、リール本体１にスプール軸２に沿う軸方向に移動自在かつ回転不能に装着された押圧円板４１及び回転円板４０に圧接可能な制動円板４２と、リール本体１に軸方向に移動可能に設けられ制動円板４２を回転円板４０側に圧接するための圧接機構４３とを有している。
【００２８】
回転円板４０は、たとえばステンレス等の金属製の部材であり、内周部に内輪２６の係止突起２６ａに係止される１対の係止溝４０ａを有している。
押圧円板４１は、たとえばステンレス等の金属製の部材であり、径方向の中間部には、周方向に等間隔に配置されたたとえば３つの丸孔４１ａが形成されている。制動円板４２は、たとえばナイロン６６等の合成樹脂製の部材である。
【００２９】
圧接機構４３は、操作つまみ５１と、操作つまみ５１により押圧されるコイルばね５２と、コイルばね５２により押圧されるワッシャ５３と、ワッシャ５３により押圧される、たとえば３本の押圧ピン５４（図２では２本のみ図示）とを有している。
操作つまみ５１は、縁付き皿状のつまみ部５１ａと、つまみ部５１ａの中心に一体形成されたボス部５１ｂとを有している。ボス部５１ｂは、スプール軸２の先端に形成された雄ネジ部２ａに螺合している。
【００３０】
コイルばね５２は、ボス部５１ｂの外周側に装着されており、操作つまみ５１の回転により伸縮してドラグ力を細かく調整するために設けられている。ワッシャ５３は、コイルばね５２の付勢力を押圧ピン５４に伝達するために設けられている。押圧ピン５４は、先端側が小径の段付きピンであり、側板１０に周方向に等間隔に３箇所に形成された貫通孔１０ａに大径部分が軸方向移動自在に装着されている。押圧ピン５４の先端は、押圧円板４１に形成された丸孔４１ａに挿通されており、押圧円板４１をリール本体１に対して回転不能に係止している。押圧ピン５４の段差部分は押圧円板４１に当接している。これにより押圧円板４１は押圧ピン５４により押圧される。コイルばね５２のバネ力を操作つまみ５１の回動操作により調整することで、制動円板４２と回転円板４０との摩擦力が変化しドラグ力を調整できる。
【００３１】
ワンタッチ着脱機構５は、スプール軸２に形成された環状の係合溝２ｃと、概略Ｌ字形の板状をなし一端が支持ピン７０に旋回自在に支持された係脱部材７１と、係脱部材７１の他端に固定された突起状の着脱つまみ７２とを有している。支持ピン７０は端面部材１８に装着されている。係脱部材７１は、係合溝２ｃに係合可能な係合位置と、係合溝２ｃから離脱した係合解除位置とを取り得る。
【００３２】
係脱部材７１は、その側部に配置されたリターンばね（図示せず）によって常に係合位置に向けて付勢されている。リターンばねは、たとえばヘアピン状に屈曲した帯状の板ばね材料からなり、拡がろうとする弾発力が係脱部材７１を係合位置へと付勢する力を生じさせる。着脱つまみ７２を操作しない限り、係脱部材７１は常にスプール軸２の係合溝２ｃに係止し、スプール軸２からスプール３が抜け出るのを阻止する。
【００３３】
図１にも示すように、着脱つまみ７２は、スプール３の端面部材１８に貫通する円弧状の長孔からなる遊動孔１８ｄに挿通されて端面部材１８の外部に露出している。遊動孔１８ｄに沿って着脱つまみ７２が移動すると、係脱部材７１も着脱つまみ７２とともに移動するが、着脱つまみ７２の移動位置がいずれの位置であっても、係脱部材７１が遊動孔１８ｄの内面側を塞ぐ。具体的には、Ｌ字形をなす係脱部材７１の短辺部分の面積が、遊動孔１８ｄの幅及び長さに比べて十分に広く設定されていて、遊動孔１８ｄを塞ぐ遮蔽面７１ａとなる。このような遮蔽面７１ａを備えていることで、遊動孔１８ｄを通じて外部から内部空間３ａへと水や塵埃その他の異物が浸入するのを防ぐことができる。
【００３４】
次にリールの動作について説明する。
図示していないが、スプール３の糸巻胴部１５の外周には釣り糸が巻かれる。釣り糸を巻き取る際には、ハンドル４８を操作してスプール３を回転させる。スプール３はスプール軸２に対して相対回転する。このとき、ローラクラッチ２３は遮断されるので、外輪２５は自由に回転してスプール３の巻き取り方向の回転は許容される。このため、スプール３はスムーズに回転する。
【００３５】
スプール３から釣り糸を繰り出す際には、スプール３は前記とは逆方向に回転する。このとき、ローラクラッチ２３は、連結されるので、内輪２６も外輪２５とともに回転しようとする。しかし、内輪２６は、回転円板４０を介して制動円板４２により制動されているので、回転力に対してコイルばね５２により設定された抵抗力（ドラグ力）が作用している。このため、スプール３が必要以上に回転して釣り糸が過剰に引き出されるのを防止でき、糸からみを避けることができる。
【００３６】
次に、この片軸受リールは、スプール３をリール本体１及びスプール軸２からワンタッチで取り外すことができる。
着脱つまみ７２をリターンばね７３の付勢力に対向して操作し、係脱部材７１をスプール軸２の係合溝２ｃから離脱させる。着脱つまみ７２を離脱位置に維持したままで、スプール３をスプール軸２から抜き出す。スプール軸２には、ローラクラッチ２３や玉軸受２１ａが装着されたままで、スプール３はスプール軸２から取り外される。
【００３７】
このように構成された片軸受リールでは、両端が開口するスプール軸２がパイプ形状であるので、重量の増加を抑えてスプール軸２を太くすることができる。このため、糸巻胴部１５の径を大きくすることができ、重量の増加を抑えて細い釣り糸を巻きやすくすることができる。また、両端が開口したスプール軸２がリール本体１に一端が開口された状態で固定されているので、スプール軸２の中心部が素通しとなり従来の片軸受リールと異なる新規な意匠を提供できる。
【００３８】
なお、前記実施形態では、ドラグ作動時に発音する発音機構や操作つまみ５１の操作に発音する発音機構を開示していないが、特開２０００−２０１６００号公報に開示されたように、それらの発音機構を設けることもできる。
〔第２実施形態〕
図３〜図５に示すように、ドラグ機構を設けずに抵抗付与機能を有する発音機構８０を設けてもよい。
【００３９】
片軸受リールは、リール本体１０１と、リール本体１０１に片持ち支持されたスプール軸１０２と、スプール軸１０２に対して相対回転自在に配置され外周に釣り糸が巻かれるスプール１０３と、スプール１０３の回転により発音する発音機構８０とを備えている。リール本体１０１は、おおむね第１実施形態は同様な構造であり、側板１１０と第１及び第２保護部１１１ａ，１１１ｂとを有している。また、取付部１１２及び釣り糸係止部１１３を有している。
【００４０】
スプール軸１０２は、両端が開口するパイプ形状の金属製の軸であり、その一端（図２左端）がリール本体１の側板１０の中心部を貫通して側板１０に片持ち固定されている。リール本体１０１の側板１１０の中心部を貫通して外部に延びる雄ねじ部１０２ａを有しており、雄ねじ部１０２ａに螺合するナット１１４によりリール本体１０１の側板１１０に片持ち固定されている。また、スプール軸１０２の雄ねじ部１０２ａに近接する位置には環状の突出部１０２ｂが形成されている。この突出部１０２ｂが側板１１０の内面に接触してスプール軸１０２が位置決めされている。スプール軸１０２の先端には、ワンタッチ着脱機構１０５を構成する環状の係合溝１０２ｃが形成されている。
【００４１】
スプール１０３は、たとえば合成樹脂又は軽合金製の部材であり、図３に示すように、内部空間１０３ａを有する筒状の糸巻胴部１１５と、糸巻胴部１１５の内側部に糸巻胴部１１５と一体で形成された円板状の第１フランジ１１６と、糸巻胴部１１５の外側部に糸巻胴部１１５と一体で形成された円板状の第２フランジ１１７と、内部空間を塞ぐ端面部材１１８とを有している。
【００４２】
糸巻胴部１１５は、第１実施形態と同様にスプール軸２の外径が糸巻胴部の外径の６０％から９０％の範囲となるような大きさに設定されている。第１フランジ１１６はリール本体１０１の側板１１０と対向するように形成されている。第２フランジ１１７は、第１フランジ１１６と対向して外側に配置されている。第２フランジ１１７は、リール本体１の保護部１１１ａ．１１１ｂを覆うような大きさで形成されている。
【００４３】
端面部材１１８は、スプール１０３の内部空間１０３ａのうち、スプール軸１０２の先端側を塞いでいる。端面部材１１８は、スプール軸１０２の外周側に配置される中心孔１１８ａを有している。端面部材１１８はたとえば６本のボルト１２０により第２フランジ１１７に装着されている。第２フランジ１１７の外面で外周近くにはハンドル１４８が取り付けられている。ハンドル１４８は、第２フランジ１１７にねじ止めされたハンドル軸１５０に回転自在に支持されており、ハンドル１４８をつかんだままでのスプール１０３の回転操作を容易にしている。
【００４４】
スプール１０３の内部空間１０３ａ内には、スプール１０３をスプール軸１０２に対して回転自在に支持する１対の玉軸受１２１ａ，１２１ｂと、スプール１０３をスプール軸１０２に着脱自在に係止するためのワンタッチ着脱機構１０５とが設けられている。また、発音機構８０がスプール１０３と側板１１０との間に設けてられている。
【００４５】
玉軸受１２１ａ，１２１ｂは、糸巻胴部１１５の内周面とスプール軸２の外周面との間に軸方向に間隔を隔てて配置されている。玉軸受１２１ａは突出部１０２ｂとスプール軸１０２の外周に装着された止め輪１１９ａとに挟まれて配置されている。玉軸受１２１ｂは、スプール軸１０２の外周面に装着され端面部材１１８により押圧されてスプール１０３に保持されている。スプール１０３の着脱時には、玉軸受１２１ａは、スプール軸１０２上に残り、玉軸受１２１ｂは、スプール１０３とともにスプール軸１０２から外される。
【００４６】
発音機構８０は、図４〜図６に示すように、スプール１０３の第１フランジ１１７に設けられた歯付きリング８１と、歯付きリング８１に先端が接触可能に側板１１０に揺動自在に設けられた爪部材８２と、爪部材８２に接触する発音可能状態（図６）と歯付きリング８１から離反する発音不能状態（図５）とに切り換える切換機構８３とを有している。
【００４７】
歯付きリング８１は、スプール軸１０２と同芯に配置されており、第１フランジ１１６の背面にたとえば皿ねじ８４などの適宜の締結手段により固定されている。歯付きリング８１の外周部には、多数の歯部８１ａが周方向に並べて形成されている。歯部８１ａの矢印Ａで示す釣り糸巻き取り方向の上流側の傾斜は下流側の傾斜よりきつくなっている。これにより、釣り糸巻き取り時と釣り糸繰り出し持とで異なる音が発生するようになっている。また、釣り糸巻き取り時より釣り糸繰り出し時の方が抵抗が強くなるようになっている。
【００４８】
爪部材８２は、側板１１０の内面に揺動自在に装着されている。側板１１０に内方に向けて突出して立設された揺動軸８６に揺動自在に装着される円筒状の装着部８２ａと、装着部８２ａから径方向外方に延び歯付きリング８１の歯部８１ａに先端が接触する爪部８２ｂと、装着部８２ａから爪部８２ｂと異なる方向に延び切換機構８３が接触する係合凸部８２ｃとを有している。爪部８２ｂの先端は発音可能状態のとき歯部８１ａの間にある接触位置に配置され、スプール１０３の回転により歯部８１ａへの衝突を繰り返す。また、発音不能状態のとき、歯部８１ａから離反する位置に離反配置される。爪部材８２は、一端がリール本体１０１に係止された捩じりコイルばね８５により、図６に示す接触位置に向けて付勢されている。
【００４９】
切換機構８３は、発音位置（図６）と発音解除位置（図５）とに揺動自在な切換レバー８８と、切換レバー８８を発音位置と発音解除位置とに振り分けて付勢するトグルばね８９とを有している。切換レバー８８は、側板１１０に内外を貫通して回動自在に装着された円筒状の装着部８８ａと、装着部８８ａの側板１１０の外側から放射状に延びる操作レバー部８８ｂと、装着部８８ａの側板１１０の内側から操作レバー部８８と異なる方向に放射状に延びる押圧レバー部８８ｃと、両レバー部８８ｂ，８８ｃの間で側板１１０の内側で放射状に延びるばねレバー部８８ｄとを有している。操作レバー部８８ｂは、側板１１０の外方に突出する長さで形成されている（図４）。押圧レバー部８８ｃは、先端に係合凸部８２ｃに接触する押圧突起８８ｅを有している。この押圧突起８３ｅは、切換レバー８８が発音解除位置にあるとき、係合凸部８２ｃに接触して、爪部材８２を離反位置に配置し発音不能状態にする。また、発音位置にあるとき、爪部材８２の係合凸部８２ｃから離反する。この結果、爪部材８２は、捩じりコイルばね８５により接触位置に配置され発音可能状態になる。ばねレバー部８８ｄの先端には、トグルばね８９が係止されている。
【００５０】
ワンタッチ着脱機構１０５は、第１実施形態と略同様な構成であり、係合溝１０２ｃと、一端が支持ピン１７０に旋回自在に支持された係脱部材１７１と、係脱部材１７１の他端に固定された突起状の着脱つまみ１７２とを有している。
このような構成の片軸受リールでは、切換レバー８８を図６に示すように発音位置にすると、押圧突起８３ｅが係合凸部８２ｃから離反する。押圧突起８３ｅが離反すると、捩じりコイルばね８５により、発音機構８０の爪部材８２が接触位置に配置され発音可能状態になる。この結果、スプール１０３が回転すると爪部材８２が振動して音が発生する。このとき、スプール１０３の回転方向に応じて異なる音が発生する。また、スプールの回転に対する抵抗力が糸巻取方向の方が軽くなる。また、切換レバー８８を図５に示すように、発音解除位置にすると、押圧突起８３ｅが係合凸部８２ｃに接触して、爪部材８２を離反位置に配置して発音不能状態にする。この結果、スプール１０３が回転しても発音しない。その代わり、スプール１０３に対する回転抵抗が減少して釣り糸を素早く繰り出せる。
【００５１】
〔第３実施形態〕
前記第１及び第２実施形態では、軸受をスプール軸の外周に間隔を隔てて配置したが、図７に示すように、玉軸受２２１ａ及び玉軸受２２１ｂをスプール軸１０３の外周及び内周に間隔を隔てて配置してもよい。なお、第２実施形態と異なる構成を中心に以下に説明し、発音機構８０等の第２実施形態と構成が同じものについての説明は省略する。
【００５２】
第２フランジ２１７に装着された端面部材２１８は、第２フランジ２１７から径方向内方に延びる内フランジ２１８ｂと、内フランジ２１８ｂの内周端からスプール軸２０２の内周面と間隔を隔てて配置される内筒部２１８ｃとを有している。内フランジ２１８ｂは、たとえば６本のボルト２２０により第２フランジ２１７に装着されている。
【００５３】
第１軸受２２１ａは、第２実施形態と同様に糸巻胴部２１５の第１フランジ２１６側内周部とスプール軸２０２の外周面との間に配置され、第２玉軸受２２１ｂは、内筒部２１８ｃの外周面とスプール軸２０２の内周面との間に配置されている。
〔第４実施形態〕
前記３つの実施形態では、スプールを同一材料で一体形成したが、スプールの外側面に配置され外部から常に見えるる第２フランジは、少なくとも糸巻胴部及び第１フランジのうちいずれか一方と異なる材料により形成されていてもよい。なお、第２実施形態と異なる構成を中心に以下に説明し、発音機構８０等の第２実施形態と構成が同じものについての説明は省略する。
【００５４】
図８に示すように、第４実施形態では、外から見える第２フランジ３１７が、たとえばアルミニウム合金やマグネシウム合金やステンレス合金などの金属製であり、外側からは見えにくい糸巻胴部３１５及び第１フランジ３１６が合成樹脂製で一体形成されている。なお、第２フランジ３１７は、アルミニウム合金をプレス成形して形成するのが好ましい。
【００５５】
また、第４実施形態では、スプール３０３は、第３実施形態と同様に内フランジ３１８ｂと内筒部３１８ｃとを有する端面部材３１８を有している。内筒部３１８ｃは、第３実施形態と異なりスプール３０３の糸巻胴部３１５の全長にわたる長さで延びている。そして、内筒部３１８ｃの両端外周面とスプール軸３０２の内周面との間に第１及び第２玉軸受３２１ａ，３２１ｂが間隔を隔てて配置されている。
【００５６】
端面部材３１８は、第２フランジ３１７とともにたとえば６本のボルト３２０により糸巻胴部３１５に装着されている。なお、端面部材３１８を装着するボルトと第２フランジ３１７を装着するボルトを共用せずに別にしてもよい。
このような片軸受リールでは、スプール３０３は、合成樹脂により一体成形された糸巻胴部３１５及び第１フランジ３１６と、アルミニウム合金製の第２フランジ３１７とで構成されている。ここでは、糸巻胴部３１５及び第１フランジ３１６と第２フランジ３１７とを別体で形成可能であるので、スプール３０３を一体成形する場合と比べて、容易に形成することができる。
【００５７】
また、スプール３０３が異なる材料で形成可能であるので、外観に現れる第２フランジ３１７を高級感のある金属製にすることで美観を向上するとともに表面の穴あけ等の加工が容易になる。一方、糸巻胴部３１５及び第１フランジ３１６を低コストの合成樹脂で形成して軽量化を図ることができる。
〔他の実施形態〕
（ａ）前記第２から第４実施形態では、発音機構８０をリール本体に設けた爪部材とスプールに設けた歯付きリングとで構成したが、爪部材をスプールに設け歯付きリングをリール本体に設けてもよい。また、発音機構はスプールの回転により発音するものであれば、爪部材と歯付きリングに限定されずどのような形態でもよい。さらに切換機構を設けなくてもよい。
【００５８】
（ｂ）前記第４実施形態において、第２フランジ３１７等の金属製部材はプレス加工により形成されていたがこれに限定されるものではない。たとえば、ダイカスト成形や鍛造等の方法を用いて形成してもよい。
（ｃ）前記実施形態では、軸受として玉軸受を用いたが、軸受としては針状コロ軸受などの他の形式の転がり軸受を用いてもよく、また転がり軸受ではなくブッシュなどのすべり軸受を用いてもよい。
【００５９】
【発明の効果】
本発明によれば、両端が開口するスプール軸がパイプ形状であるので、重量の増加を抑えてスプール軸を太くすることができる。このため、糸巻胴部の径を大きくすることができ、重量の増加を抑えて細い釣り糸を巻きやすくすることができる。また、両端が開口したスプール軸がリール本体に一端が開口された状態で固定されているので、スプール軸の中心部が素通しとなり従来の片軸受リールと異なる新規な意匠を提供できる。
【図面の簡単な説明】
【図１】本発明の第１実施形態による片軸受リールの左側面図。
【図２】前記片軸受リールの断面図。
【図３】第２実施形態の図２に相当する図。
【図４】第２実施形態の片軸受リールの右側面一部破断図。
【図５】発音機構の爪部材の発音不能状態を示す図。
【図６】発音機構の爪部材の発音可能状態を示す図。
【図７】第３実施形態の図２に相当する図。
【図８】第４実施形態の図２に相当する図。
【符号の説明】
１，１０１  リール本体
２，１０２，２０２，３０２  スプール軸
３，１０２，２０２，３０２  スプール
４  ドラグ機構
５  ワンタッチ着脱機構
１５、１１５，２１５，３１５  糸巻胴部
１６，１１６，２１６，３１６  第１フランジ
１７，１１７，２１７，３１７  第２フランジ
１８，１１８，２１８，３１８  端面部材
２１ａ，１２１ａ，２２１ａ，３２１ａ  第１軸受
２１ｂ，１２１ｂ，２２１ｂ，３２１ｂ  第２軸受
８０  発音機構
２１８ｂ，３１８ｂ  内フランジ
２１８ｃ，３１８ｃ  内筒部
【図１】
2004344106.tif 000003
【図２】
2004344106.tif 000004
【図３】
2004344106.tif 000005
【図４】
2004344106.tif 000006
【図５】
2004344106.tif 000007
【図６】
2004344106.tif 000008
【図７】
2004344106.tif 000009
【図８】
2004344106.tif 000010